(57)【特許請求の範囲】
【請求項１】
エンジンから排出される排気成分を浄化する排気浄化手段を備えたエンジンの排気浄化装置であって、
エンジン完暖後の空気過剰率を、運転状態に応じた目標空気過剰率にする空気過剰率制御手段と、
エンジンの暖機が未完の冷間時には、エンジン出力が所定値より大きいときは前記空気過剰率を前記目標空気過剰率より大きい第１空気過剰率に設定し、エンジン出力が前記所定値以下のときは前記空気過剰率を前記第１空気過剰率より小さい第２空気過剰率にし、かつ、前記空気過剰率を第１空気過剰率にしたときと第２空気過剰率にしたときとのＨＣ排出量の差が所定値より大きい場合は、エンジン出力が前記所定値以下であっても、前記空気過剰率を前記第１空気過剰率にする冷間時空気過剰率制御手段と、
を含んで構成したことを特徴とするディーゼルエンジンの排気浄化制御装置。
【請求項２】
前記第２空気過剰率は、前記目標空気過剰率より小さいことを特徴とする請求項１に記載のディーゼルエンジンの排気浄化制御装置。
【請求項３】
前記第２空気過剰率は、前記エンジン出力が小さいほど小さい値であることを特徴とする請求項１または請求項２に記載のディーゼルエンジンの排気浄化制御装置。
【請求項４】
前記冷間時空気過剰率制御手段は、前記空気過剰率を第１空気過剰率より第２空気過剰率にした方が排気のエンタルピが大きい場合は、エンジン出力が前記所定値より大きいときであっても、前記空気過剰率を前記第２空気過剰率にすることを特徴とする請求項１〜請求項３のいずれか１つに記載のディーゼルエンジンの排気浄化制御装置。
【請求項５】
前記冷間時空気過剰率制御手段は、エンジン回転数が所定回転数を下回るときに、エンジン出力が前記所定値以下であるとみなすことを特徴とする請求項１〜請求項４のいずれか１つに記載のディーゼルエンジンの排気浄化制御装置。
【請求項６】
前記冷間時空気過剰率制御手段は、エンジン負荷が所定負荷を下回るときに、エンジン出力が前記所定値以下であるとみなすことを特徴とする請求項１〜請求項４のいずれか１つに記載ディーゼルエンジンの排気浄化制御装置。
【請求項７】
前記空気過剰率制御は、排気通路と吸気通路とを連通するＥＧＲ通路途中に設けられてＥＧＲガス量を調節可能なＥＧＲ弁と、吸気通路の途中に設けられて吸入空気量を調節可能なスロット弁とで制御し、前記第１空気過剰率から第２空気過剰率へ変化させる場合、ＥＧＲ弁を開くよう制御することと、スロットル弁を閉じるよう制御することの少なくとも一方を行うことを特徴とする請求項１〜請求項６のいずれか１つに記載のディーゼルエンジンの排気浄化制御装置。
【発明の詳細な説明】
【０００１】
【発明の属する技術分野】
本発明は、ディーゼルエンジンの排気浄化制御装置に関し、特に、冷間時の排気浄化性能を改善する技術に関する。
【０００２】
【従来の技術】
ディーゼルエンジンでは、一般的に空気過剰率が運転状態に応じた目標値になるよう、吸気絞り弁及びＥＧＲ弁等を制御しているが、エンジン始動直後の冷間時には、燃焼室内の温度が低いため、燃焼温度が低くエンジン燃焼室からのＨＣ排出量が増大する。
【０００３】
また、ＥＧＲガス（排気）中には、ＣＯ等の比熱の大きな成分が多く含まれており、この成分によっても燃焼温度が低下するため、冷間時にＥＧＲを行うことは好ましくない。すなわち、冷間時において空気過剰率を運転状態に応じた目標値に設定することは好ましくない。
特開平８−７４６７６号には、冷間時に、ＥＧＲ弁の開度を減少させることでシリンダ吸入空気量を減少させて空気過剰率を大きくすることにより、エンジン燃焼室から排出されるＨＣの悪化を抑制する技術が開示されている。
【０００４】
【発明が解決しようとする課題】
しかしながら、上記従来技術は、冷間時に空気過剰率を大きくするため以下のような問題を生じる。
すなわち、排気浄化手段は排気温度が高いときに活性状態となって排気成分を浄化するものであるため、低温度時は非活性状態のため排気成分を浄化することができない。したがって、冷間時は、排気浄化手段の温度も低く非活性状態にあるので、排気浄化手段の温度が高くなるまでの間は、排気成分は浄化されずに大気中に排出される。
【０００５】
空気過剰率は排気温度と相関しており、空気過剰率が小さいほど排気温度は高くなるため、空気過剰率を大きくすると排気温度が低下してしまう。したがって、上記従来技術のように冷間時に空気過剰率を大きくすると、エンジン燃焼室から排出されるＨＣの悪化は抑制できるが、空気過剰率が大きくなった分、排気浄化手段の昇温に時間がかかり、排気浄化手段が活性状態になるまでの時間が長くなる。このため、エンジン及び排気浄化手段の暖機が完了するまでの間のトータルで考えると、この間に排気浄化手段から排出される（大気中に排出される）排気成分の総量が却って増加してしまう場合があった。
【０００６】
本発明は、このような従来の課題に着目してなされたもので、冷間時における空気過剰率を適切にコントロールすることにより、エンジンと排気浄化手段が暖機完了するまでの間に、大気中に排出されるＨＣの総量をできるだけ低減するエンジンの排気浄化装置を提供することを目的とする。
【０００７】
【課題を解決するための手段】
このため、請求項１に係る発明は、
エンジンから排出される排気成分を浄化する排気浄化手段を備えたエンジンの排気浄化装置であって、
エンジン完暖後の空気過剰率を、運転状態に応じた目標空気過剰率にする空気過剰率制御手段と、
エンジンの暖機が未完の冷間時には、エンジン出力が所定値より大きいときは前記空気過剰率を前記目標空気過剰率より大きい第１空気過剰率に設定し、エンジン出力が前記所定値以下のときは前記空気過剰率を前記第１空気過剰率より小さい第２空気過剰率にし、かつ、前記空気過剰率を第１空気過剰率にしたときと第２空気過剰率にしたときとのＨＣ排出量の差が所定値より大きい場合は、エンジン出力が前記所定値以下であっても、前記空気過剰率を前記第１空気過剰率にする冷間時空気過剰率制御手段と、
を含んで構成したことを特徴とする。
【０００８】
請求項１に係る発明によると、
エンジンの出力がある程度以下であれば、空気過剰率を小さく設定した場合、その排気昇温効果は大きい。しかし、エンジン出力がある程度より大きくなると、空気過剰率の低下による排気昇温効果をエンジン燃焼室から排出されるＨＣの悪化代が上回ってしまう。よって、所定の出力条件以下でのみ空気過剰率を低下させることでエンジン燃焼室から排出されるＨＣの悪化を抑えるとともに、排気の昇温を確保して排気浄化手段の活性化を促進させるため、冷間時に大気中に排出されるＨＣの総量を低減することができる。
また、排気浄化手段の早期活性化を狙って空気過剰率を小さくすることによる排気昇温にはエンジン燃焼室から排出されるＨＣの悪化が伴う場合がある。そこで、ＨＣの悪化代が所定の値以上になる場合、空気過剰率を低下させないようにしたことにより、ＨＣ排出量の悪化を抑制することができる。
【０００９】
また、請求項２に係る発明は、
前記第２空気過剰率は、前記目標空気過剰率より小さいことを特徴とする。
請求項２に係る発明によると、
空気過剰率を目標空気過剰率より小さくすることで排気の昇温代を大きくして排気浄化手段の活性化をさらに促進させることができ、排気浄化手段の暖機に要する時間を短くできる。
【００１０】
そして、等出力で空気過剰率を小さくするということは、吸入空気量を減少させるということであり、低出力条件で空気過剰率を小さくすると吸入空気量と共に排気流量が大きく減少するから、空気過剰率を低下させることでエンジンから排出されるＨＣ濃度が高くなったとしても、排気流量の減少によって、燃焼室からのＨＣ排出量の悪化代は小さくてすむ。
【００１１】
したがって、冷間時に大気中に排出されるＨＣの総量をさらに低減できる。
また、請求項３に係る発明は、
前記第２空気過剰率は、前記エンジン出力が小さいほど小さい値であることを特徴とする。
請求項３に係る発明によると、
大きい値に設定された第１空気過剰率による酸素過剰状態と、小さい値に設定された第２空気過剰率による低酸素状態とでは、エンジンの燃焼状態が大きく異なる場合がある。そのため、ある運転条件にて両者を段階的に切り換えるだけでは、トルク段差、燃焼騒音、エミッション等に大きな影響を及ぼす。そこで、第１空気過剰率と第２空気過剰率、あるいは完暖後の目標空気過剰率と第２空気過剰率との間を、そのときの出力に応じて緩やかに変化するように空気過剰率を補正することで、トルク段差、燃焼騒音、エミッションの過渡変化、悪化を抑えることが可能となる。
【００１２】
また、請求項４に係る発明は、
前記冷間時空気過剰率制御手段は、前記空気過剰率を第１空気過剰率より第２空気過剰率にした方が排気のエンタルピが大きい場合、エンジン出力が前記所定値より大きいときであっても、前記空気過剰率を前記第２空気過剰率にすることを特徴とする。
【００１３】
請求項４に係る発明によると、
排気浄化手段の早期活性化は、排気温度の高温化のほかに、排気流量の影響もある。すなわち、高温の排気が大量に排気浄化手段を通過することで、排気浄化手段はより早期に活性化する。したがって、排気温度に加えて排気流量も考慮し、第1と第2の空気過剰率のうち、略排気温度と排気流量の積に比例的な値となるエンタルピが大きい空気過剰率にすることで排気浄化手段をより早期に活性化できる。
【００１６】
また、請求項５に係る発明は、
前記冷間時空気過剰率制御手段は、エンジン回転数が所定回転数を下回るときに、エンジン出力が前記所定値以下であるとみなすことを特徴とする。
請求項５に係る発明によると、
一般に高速回転ほど単位時間のエンジンの仕事量が増加するため、エンジン出力は高くなる。そのため、エンジン出力を単にエンジン回転数に置き換えることで、制御が簡略化され、かつ出力とエンジン回転数とは相関が高いため制御精度が保たれる。
【００１７】
そこで、エンジン回転数によって空気過剰率の切り換えを行うことにより、ＨＣ悪化代が少なく、排気昇温代が大きい制御が可能となる。
また、請求項６に係る発明は、
前記冷間時空気過剰率制御手段は、エンジン負荷が所定負荷を下回るときに、エンジン出力が前記所定値以下であるとみなすことを特徴とする。
【００１８】
請求項６に係る発明によると、
一般に燃料噴射量が多いほど、エンジントルクは大きくなり、エンジン出力は高くなる。そのため、エンジン出力を単に燃料噴射料に置き換えることで、制御が簡略化され、かつ出力と燃料噴射量とは相関が高いため制御精度が保たれる。
そこで、エンジン負荷によって空気過剰率の切り換えを行うことにより、ＨＣ悪化代が少なく、排気昇温代が大きい制御が可能となる。
【００１９】
また、請求項７に係る発明は、
前記空気過剰率制御は、排気通路と吸気通路とを連通するＥＧＲ通路途中に設けられてＥＧＲガス量を調節可能なＥＧＲ弁と、吸気通路の途中に設けられて吸入空気量を調節可能なスロット弁とで制御し、前記第１空気過剰率から第２空気過剰率へ変化させる場合、ＥＧＲ弁を開くよう制御することと、スロットル弁を閉じるよう制御することの少なくとも一方を行うことを特徴とする。
【００２０】
請求項７に係る発明によると、
空気過剰率を低下させる場合、ＥＧＲ弁を開きＥＧＲガスを導入することで、またスロットル弁を閉じて吸入空気量を減少させることで、空気過剰率を小さく制御することが可能となる。
【００２１】
【発明の実施の形態】
図１は、本発明の実施形態にかかるディーゼルエンジンのシステム図である。図に示すように、エンジン本体１には、コモンレール２、燃料噴射弁３及び図示しない燃料ポンプを構成要素とするコモンレール燃料噴射系が設けられており、高圧の燃料をエンジン本体１に供給する。
【００２２】
過給機４のコンプレッサ４ａが吸気通路５に接続され、排気通路６に接続されたタービン４ｂにより駆動されて圧縮空気をエンジン本体１に供給する。
吸気通路５には、前記過給機４のコンプレッサ４ａの上流側に配設されたエアフローメータ７と、吸気絞り弁８とが設けられている。
吸気絞り弁８は、例えば、ステップモータを用いて開度変更が可能な電子制御式のものであり、その開度に応じてエンジン本体１に吸入される吸入空気量を制御する。
【００２３】
排気通路６には、エンジン本体１と過給機のタービン４ｂとの間から分岐して吸気通路５に接続するＥＧＲ通路９と、該ＥＧＲ通路９に介装されたＥＧＲ弁１０と、前記過給機４のタービン４ｂの下流側に配設されたＨＣ吸着機能付き酸化触媒１１が設けられている。
前記ＥＧＲ弁１０は、例えば、ステップモータを用いた電子制御式のものであり、その開度に応じて吸気側に還流する排気の量、すなわち、エンジン本体１に吸入されるＥＧＲ量を制御する。
【００２４】
前記ＨＣ吸着機能付き酸化触媒１１は低温時に排気中のＨＣを吸着しつつＨＣ、ＣＯを酸化して浄化する。
各種状態を検出するセンサとして、吸入空気量Ｑａを検出する前記エアフローメータ７の他、エンジン回転数Ｎｅを検出する回転数センサ１２、アクセル開度を検出するアクセル開度センサ１３、冷却水温Ｔｗを検出する水温センサ１４、前記ＨＣ吸着機能付き酸化触媒１１の温度を検出する熱電対１５、前記コモンレール２内の燃料圧力（すなわち、燃料噴射圧）を検出するレール圧センサ１６等が設けられる。
【００２５】
コントロールユニット２０は、前記各種センサからの検出信号および補機類２１からの信号に基づいて燃料噴射量Ｑｆ、噴射時期ＩＴを設定して前記燃料噴射弁３の駆動を制御すると共に、前記吸気絞り弁８及びＥＧＲ弁１０の開度制御を行う。特に、本発明に係る制御として、エンジン及び触媒の暖機が未完の冷間時に、前記ＨＣ吸着機能付き酸化触媒１１を低温時に活性化するときなどに、特定の条件（エンジン低出力時）で排気温度を上昇させるように空気過剰率を減少させる制御を行う。
【００２６】
これまでに数値計算および実機実験により、図８に示すようなことが明らかとなった。図は横軸に目標空気過剰率より小さく設定した第２空気過剰率の目標空気過剰率より大きく設定した第１空気過剰率に対する排気昇温代を、縦軸には触媒入口でのＨＣ悪化代を取っている。図より、エンジンの出力がある程度以下の低出力条件の場合、空気過剰率低下による排気昇温効果はＨＣの悪化代を上回ることが分かる。ただし、出力がある程度以上の高出力条件になると、排気流量の増大が主要因でＨＣ悪化が顕著となり、排気昇温による触媒早期活性化効果は小さくなる。
【００２７】
上記のことを考慮し、本発明では、触媒の早期活性に必要な排気温度の昇温と、エンジンから排出されるエミッション・燃焼安定性を両立させるように、空気過剰率を適切に切り換え制御する。
以下、本発明の実施形態にかかる制御を、図２のフローチャートにしたがって説明する。
【００２８】
Ｓ１０１では、エンジン回転数Ｎｅ、燃料噴射量Ｑｆ、水温Ｔｗ、吸入空気量Ｑａｃを検出する。
Ｓ１０２では、暖機後の目標空気過剰率ｔｌａｍｂｄａ＿Ｈｏｔを、例えばエンジン回転数と燃料噴射量とから演算する。一般にエンジン回転数が低く、燃料噴射量が多いほど、目標空気過剰率は小さい値となる。
【００２９】
Ｓ１０３では、Ｓ１０１で検出した水温Ｔｗを予め設定した値＃ＴＷと比較し、低い場合はＳ１０４へ進み、高い場合はＳ１０５へ進む。
Ｓ１０４では、エンジンの出力を演算する。本来、エンジンの出力はエンジン回転数とエンジントルクとの積として求まるが、ここでは、Ｓ１０１で検出した燃料噴射量をエンジントルクの代表値として用い、次式によりエンジンの出力相当値Ｐｅを演算する。
【００３０】
Ｐｅ＝Ｎｅ×Ｑｆ
Ｓ１０５では、触媒の活性は完了したと判断し、最終目標空気過剰率ｔｌａｍｂｄａ＝ｔｌａｍｂｄａ#Ｈｏｔとし、フローを終了する。
Ｓ１０６では、冷間（暖機完了前）時の目標空気過剰率（第１及び第２空気過剰率）とした場合の排気温度と排気流量とを予測し、該排気温度と排気流量とから排気のエンタルピを演算する。
【００３１】
ここで、排気温度の予測法としては、例えば空気過剰率との相関の強さを利用し、そのときの設定空気過剰率から簡単に求めることができる。また、排気流量は吸入空気量と燃料噴射量の和で求めることができる。よって排気のエンタルピ相当値を、排気温度と排気流量の積をとることで簡単に演算することができる。Ｓ１０７では、第１および第２空気過剰率とした場合のＨＣ排出量を検出または予測する。ここで、ＨＣ排出量の予測法としては、例えば空気過剰率や燃料噴射量との相関の強さを利用し、そのときの設定空気過剰率からおおよその値を求めることができる。
【００３２】
Ｓ１０８では、Ｓ１０４で演算したエンジン出力が、予め設定した値♯ＰＥよりも小さい場合はＳ１１０へ進み、大きい場合はＳ１０９へ進む。
Ｓ１０９では、Ｓ１０６で演算した排気のエンタルピＨｅｘｈｌとＨｅｘｈ２の大小を比較し、Ｈｅｘｈ１が小さい場合はＳ１１０へ進み、Ｈｅｘｈ２が小さい場合はＳ１０４に進む。
【００３３】
Ｓ１１０では、Ｓ１０７で演算したＨＣ排出量ＨＣ１とＨＣ２の差をとり、その差が所定の値♯ＤＥＦ＿ＨＣより小さい場合はＳ１１１へ進み、大きい場合はＳ１１４に進む。
以上まとめると、冷間時において、エンジン出力が小さいか、第１空気過剰率での排気のエンタルピが第２気過剰率での排気のエンタルピより小さい場合で、かつ、第２空気過剰率でのＨＣ排出量と第１空気過剰率でのＨＣ排出量との差が小さいときは、第２空気過剰率を選択した方が燃焼室からのＨＣ排出量の増加は少なく、排気昇温効果による触媒の暖機活性化を促進する効果の方が大きいので冷間時トータルでのＨＣ排出量を低減できると判断してＳ１１１以降に進み、それ以外のときは燃焼室からのＨＣ排出量の低減のため第１空気過剰率を選択する必要があると判断してＳ１１４へ進む。
【００３４】
Ｓ１１１では、上記の判断に従って選択した第２空気過剰率ｔＬａｍｂｄａ＿Ｃｏｌｄ２の補正係数を演算する。これは、例えば図４のように♯ＰＥ以下では燃焼室からのＨＣ排出量の絶対量が小さいので、空気過剰率をより小さく補正することが可能であるため、空気過剰率を小さく補正する補正係数を演算する。また、別の方法では、図５に示すような出力が小さくなるにつれて、前記補正係数を緩やかに小さくするよう演算する方法もある。
【００３５】
Ｓ１１２では、Ｓ１１１で演算した補正係数と完暖後の目標空気過剰率とから第２空気過剰率ｔＬａｍｂｄａ＿Ｃｏｌｄ２を演算する。
Ｓ１１３では、Ｓ１１２で演算した第２空気過剰率を最終目標空気過剰率ｔＬａｍｂｄａとし、フローを終了する。
Ｓ１１４では、完暖後に対応する目標空気過剰率として設定されている第１の空気過剰率に対し、冷間時に対応するように補正するための水温補正係数１ｔＬａｍｂｄａ＿Ｃｏｌｄ１＿ｈｏｓを、例えば図３に示すようなテーブルより演算する。なお、この補正係数は水温から演算する。
【００３６】
Ｓ１１５では、Ｓ１１４で演算した水温補正係数と完暖後の目標空気過剰率とから第１空気過剰率ｔＬａｍｂｄａ＿Ｃｏｌｄ１を演算する。
Ｓ１１６では、Ｓ１１５で演算した第１空気過剰率を最終目標空気過剰率ｔＬａｍｂｄａとし、フローを終了する。
以上、第１の実施形態について説明したが、Ｓ１０８のエンジン出力によって目標空気過剰率を場合分けする方法の他に、第２の実施形態としてエンジン回転数、第３の実施形態として燃料噴射量による場合分けも可能である。その場合、Ｓ１１１での空気過剰率の補正係数の演算方法としては、第２の実施形態では例えば図６に示すようにエンジン回転数Ｎｅに対する補正係数として演算し、また、第３の実施形態では例えば図７に示すようなテーブルより燃料噴射量に対する補正係数として演算することとなる。
【００３７】
以上説明してきた制御フローにより、目標空気過剰率、そのときのＥＧＲ弁およびスロットル弁は図１０に示すような動作をすることになる。ただし、厳密にいうとｔＬａｍｂｄａ＿ＨｏｔおよびｔＬａｍｂｄａ＿Ｃｏｌｄ１は、図９に示すように、一般にエンジン出力に応じて変化する目標値である。しかし、ここでは簡単のため、単にｔＬａｍｂｄａ＿Ｈｏｔ＜ｔＬａｍｂｄａ＿Ｃｏｌｄ１いう大小関係だけに着目し、図１０の動作を分かりやすく描画している。
【図面の簡単な説明】
【図１】本発明の実施形態に係るシステム図。
【図２】同上実施形態の制御ルーチンを示すフローチャート。
【図３】空気過剰率の補正係数１の演算テーブルを示した図。
【図４】空気過剰率の補正係数２の出力による演算テーブルを示した図。
【図５】空気過剰率の補正係数２の出力による演算テーブルの別の例を示した図。
【図６】空気過剰率の補正係数２のエンジン回転数による演算テーブルを示した図。
【図７】空気過剰率の補正係数２の燃料噴射量による演算テーブルを示した図。
【図８】第2の空気過剰率の第1の空気過剰率に対する排気昇温代とＨＣ悪化の関係を示した図。
【図９】完暖後の空気過剰率、第1及び第2の空気過剰率の大小関係を示した図。
【図１０】本発明による、目標空気過剰率、ＥＧＲ弁及びスロットル弁の動作を示した図。
【符号の説明】
１    エンジン本体
２    コモンレール
３    燃料噴射弁
５    吸気通路
６    排気通路
８    吸気絞り弁
９    ＥＧＲ通路
１０    ＥＧＲ弁
１１    酸化触媒
１２    回転数センサ
１３    アクセル開度センサ
１４    水温センサ
１５    熱電対
２０    コントロールユニット
【図１】
0003952733.tif 000002
【図２】
0003952733.tif 000003
【図３】
0003952733.tif 000004
【図４】
0003952733.tif 000005
【図５】
0003952733.tif 000006
【図６】
0003952733.tif 000007
【図７】
0003952733.tif 000008
【図８】
0003952733.tif 000009
【図９】
0003952733.tif 000010
【図１０】
0003952733.tif 000011